(57)【要約】      （修正有）【課題】有線テレビの専用受信装置や端末機の同軸ケーブル接続機器のような指定装置に接続し、挟持方式で同軸ケーブルと接合する端末ジョイントを提供する。【解決手段】同軸ケーブル１０用の端末ジョイント２０に空洞で同軸の内、外スリーブ２５を取付け、外スリーブには少なくとも一つのスロットを設け、挟持装置は外スリーブのスロット内に取付け、また多数の歯を挟持装置の底部表面に形成する。ケーブルが端末ジョイントに挿入されると、被覆カバー１４と綾織状導体１３は内、外スリーブの環状スペース内に押し込まれ、挟持装置は中心へとプッシュされて移動し、多数の歯とケーブルの被覆カバーとを密着結合させる。【選択図】図１
0003136934.tif 000002
【実用新案登録請求の範囲】
【請求項１】
電気若しくは機械の電子機器部材に同軸ケーブルを接続することができ、前記同軸ケーブルにはコア導体を具え、絶縁体で前記コア導体をカバーし、少なくとも一つの綾織状導体を前記絶縁体の周囲に配置し、また被覆カバーで前記綾織状導体をカバーする同軸ケーブル用の端末ジョイントであって、前記ジョイントは、
コア導体と絶縁体を入れることができる空洞の内スリーブと、
前記内スリーブと同軸配置で、綾織状導体と被覆カバーを入れることができ、その外スリーブ本体に少なくとも一つのスロットを設置する空洞の外スリーブと、
前記外スリーブのスロット内に設置し、縦線方向に前記ケーブルの被覆カバーに近づけた挟持装置と、
前記挟持装置の底部表面に形成される多数の歯であって、同軸ケーブルが完全にジョイントに挿入されると、多数の歯とケーブルの被覆カバーが密着結合するまで前記挟持装置を中心に移動させることを含むことを特徴とする端末ジョイント。
【請求項２】
前記挟持装置が少なくとも一対のスライド部材を含み、前記スライド部材に少なくとも一つのスライドブロックを取り付けて前記外スリーブ本体のスロットと対応することによって、前記スライド部材が縦線方向に前記スロットに進入することを特徴とする請求項1に記載する端末ジョイント。
【請求項３】
前記スライドブロックには交錯する様に配列した上凸部と下凸部を取付けた第一表面を有し、前記スライドブロックが中心に移動すると、前記下凸部の頂部が前記スロットの底部に挟まり、前記スライド部材がまず前記外スリーブ本体と結合し、最後に同軸ケーブルを端末ジョイント内に挿入して、前記上凸部の頂部がスロットの底部に挟まるまで、さらに前記スライド部材を中心に移動させることを特徴とする請求項２に記載する端末ジョイント。
【請求項４】
前記スライドブロックには方向が第一表面とは反対の第二表面を有し、前記第二表面には第一表面の上凸部と下凸部に対応する上凸部と下凸部を設けることを特徴とする請求項３に記載する端末ジョイント。
【請求項５】
前記スライドブロックの両側の末端にストッパー部を形成し、最終の結合位置において引続き中心に移動することができないように前記ストッパー部を前記スロットの両側に当接させることを特徴とする請求項２に記載する端末ジョイント。
【考案の詳細な説明】
【技術分野】
【０００１】
本考案は有線テレビの専用受信装置や端末機の同軸ケーブル接続機器のような指定装置に接続することに関し、特に挟持方式で同軸ケーブルと接合する端末ジョイントに関する。
【背景技術】
【０００２】
同軸ケーブル接続機器に関する知識は巷間で広く知られている。Ｆ型同軸ケーブル接続機器の典型的なものは補助インターフェース接続機器に螺合し、同軸ケーブルをＴＶ、ＣＢやＦＭラジオそしてアマチュア無線システムなどの各種電子機器部品と電気的に一体とさせている。
【０００３】
従来の同軸ケーブル接続機器は環状軸輪を含む接続機器本体を包括し、柱型部材が軸輪内に同軸に配置され、ナットが柱型部材の周囲に配置されている。
【０００４】
接続機器は同軸ケーブルを接続機器本体内に挿入することができ、同軸ケーブルの絶縁体とコア導体は柱型部材内に位置し同軸ケーブルと組合わせる。同軸ケーブルの綾織状導体と被覆カバーは柱型部材と軸輪の間に配置される。六角形の圧接工具で軸輪に圧縮力を加えて、同軸ケーブルの被覆カバーと強制的に密封結合させる。然しながら、同軸ケーブルのサイズがいろいろと変化することで軸輪に充分な圧縮力を加えられることを保証する為に三種類の異なるサイズの六角形の圧接工具が必要である。こうした結合方式は余分なコストに多種類の圧接工具を必要とし、さらに余計な工具の携帯という不便さも加わり、考慮されねばならない。
【０００５】
そこで、ジョイントをケーブルとぴったり結合させることができ、且つ多種類の専用圧接工具が不要な端末ジョイントが目下必要なのである。
【考案の開示】
【考案が解決しようとする課題】
【０００６】
本考案の主な目的は、同軸ケーブル用の端末ジョイントを提供することにある。
【課題を解決するための手段】
【０００７】
多数の歯と被覆カバーがぴったり接合するまで中心へとプッシュして移動させるための少なくとも一つのスライド部材を外スリーブに配置して、端末ジョイントを効率的にケーブルの末端とぴったり結合させることができるようにする。
【０００８】
本考案では斬新な特徴は添付した実用新案登録請求の範囲で詳述していると確信している。然しながら、考案自体の構造、操作方法及び目的やメリットについては、下記の記述並びに添付図面を参考にすることにより、更に容易に理解することができる。
【考案を実施するための最良の形態】
【０００９】
図面では、従来の同軸ケーブル１０はコア導体１１、絶縁体１２、綾織状導体１３及び被覆カバー１４で構成されており、ケーブルを効率的に受信装置と端末機に接続するために、コア導体１１と絶縁体１２の末端はある程度の長さを切開して外部に露出させなければならず、綾織状導体１３は絶縁体１２から外側へ一定の長さを剥き出しにすると共に、被覆カバー１４でカバーする。
【００１０】
図１から図４に示すように、本考案の端末ジョイント２０は内スリーブ２１を含み、その前端には外フランジ２３を設け、端末より伸ばした部位２４のが外径と壁の厚みは内スリーブ本体２２より小さい。外スリーブ２５には外スリーブ本体２６を設け、その内フランジ２７は内スリーブ本体２２を取り巻き、外スリーブ本体２６と内スリーブ本体２２の端末より伸ばした部位２４は同心状に取り囲む関係を形成し、中は環状の空洞となっている。外スリーブ本体２６には放射状に隔たった横方向のスロット２８，２８’を設ける。スロット２８，２８’には少なくとも一つの縦方向のガイド溝２８１，２８１’を設ける。
【００１１】
端末ジョイント２０はＦ型、ＢＮＣ型、ＲＣＡ型、ＩＥＣ型などの接続インターフェースに用いられ、本考案ではＦ型ジョイントを例に取り説明する。端末ジョイント２０の前端には嵌め込み部材３０を取付け、その末端は内に嵌め込むフランジ３１であり、該内フランジ３１は内スリーブ２１の外フランジ２３と外スリーブ本体２６の内フランジ２７間に挟まれる。嵌め込み部材３０の内部には複数のねじ山３２を設け、その外部には六角体３３を設け、スパナ又はその他の工具で端末ジョイント２０を受信装置若しくは端末機のような電子機器部材にしっかり取付けることができる。
【００１２】
外スリーブ２５に少なくとも一対のスライド部材４０を含む挟持装置を取付け、それにはアーチ型部４１を具え、その上に少なくとも一つのスライドブロック４２と外スリーブ本体２６のガイド溝２８１，２８１’を互いに対応するように取付け、スライド部材４０のスライドブロック４２はガイド溝２８１，２８１’に沿って直線スライドさせることができる。
【００１３】
図５に示すように、多数の歯４３はアーチ型部４１の底部表面に位置する。スライドブロック４２は第一表面４５及び方向が第一表面４５と反対である第二表面４５’を具え、その上に交錯した配列となっている上凸部４６、４６’と下凸部４７、４７’を取付ける。
【００１４】
アーチ型部４１の両側の末端にストッパー部４８を形成し、最終の結合位置で引続き中心に移動することができない様にスライド部材４０のストッパー部４８をスロット２８，２８’の両側の壁面に当接させる。
【００１５】
図６乃至図８で示すように、一対のスライド部材４０はスロット２８，２８’内に取付け、スライド部材４０は図の矢印Ｙ方向の力により中心に移動し、下凸部４７の頂部をスロット２８，２８’の底部に挟み、スライド部材４０を先に外スリーブ本体２６と結合させ、スライド部材４０と外スリーブ２５が分離するのを防止する。
【００１６】
図９で示すように、スライド部材４０と外スリーブ２５が結合して、同軸ケーブル１０を端末ジョイント２０内に挿入すると、さらにスライド部材４０は縦方向の力によって中心に移動し、上凸部４６の頂部がスロット２８の底部に挟まり、アーチ型部４１の歯４３は被覆カバー１４の外表面と噛合わされる。
【００１７】
端末ジョイント２０が同軸ケーブル１０の末端と接続する前に、スライド部材４０を予め外スリーブ２５に接続する際、同軸ケーブル１０を端末ジョイント２０に挿入し、外部に露出させたコア導体１１と絶縁体１２を内スリーブ本体２２に伸ばし、綾織状導体１３と被覆カバー１４は内スリーブ本体２２の末端から伸ばした部分２４と外スリーブ本体２６の間に伸ばす。同軸ケーブル１０が完全に端末ジョイント２０内に挿入されると、被覆カバー１４の末端は外スリーブ本体２６の内フランジ２７に密着し、コア導体１１は前方に若干突出し、嵌め込み部材３０の末端を超える。挟持工具でスライド部材４０を放射状の力で中心に移動させ、スライド部材４０の歯４３を直接ケーブルの被覆カバー１４と緊密に接合させる。
【００１８】
本考案の特定実施例は既に図解説明を実施しているが、当業者にとりその他各種の容易に達成される変更若しくは補正は何れも明らかに本考案の趣旨を逸脱しないものである。また、実用新案登録請求の範囲においても本考案の趣旨の範囲内に含まれるあらゆる変更若しくは補正を試している。
【図面の簡単な説明】
【００１９】
【図１】本考案の端末ジョイントがケーブルに接合した断面図である。
【図２】本考案の端末ジョイントの断面図である。
【図３】本考案の外スリーブの立体図である。
【図４】本考案のスライド部材の立体図である。
【図５】本考案のスライド部材の底面図である。
【図６】本考案の端末ジョイントの立体図である。
【図７】図６の点線７部位の部分拡大図である。
【図８】図２の右側面図である。
【図９】図１の９−９線に沿って作成した断面図である。
【符号の説明】
【００２０】
１０  同軸ケーブル
１１  コア導体
１２  絶縁体
１３  綾織状導体
１４  被覆カバー
２０  端末ジョイント
２１  内スリーブ
２２  内スリーブ本体
２３  外フランジ
２４  端末より伸ばした部位
２５  外スリーブ
２６  外スリーブ本体
２７  内フランジ
２８，２８’    スロット
２８１、２８１’ガイド溝
３０  嵌め込み部材
３１  内フランジ
３２  ねじ山
３３  六角体
４０  スライド部材
４１  アーチ型部
４２  スライドブロック
４３  歯
４５  第一表面
４５’第二表面
４６、４６’  上凸部
４７、４７’  下凸部
４８  ストッパー部
【図１】
0003136934.tif 000003
【図２】
0003136934.tif 000004
【図３】
0003136934.tif 000005
【図４】
0003136934.tif 000006
【図５】
0003136934.tif 000007
【図６】
0003136934.tif 000008
【図７】
0003136934.tif 000009
【図８】
0003136934.tif 000010
【図９】
0003136934.tif 000011
【手続補正書】
【提出日】平成19年9月14日(2007.9.14)
【手続補正１】
【補正対象書類名】図面
【補正対象項目名】全図
【補正方法】変更
【補正の内容】
【図１】
0003136934.tif 000012
【図２】
0003136934.tif 000013
【図３】
0003136934.tif 000014
【図４】
0003136934.tif 000015
【図５】
0003136934.tif 000016
【図６】
0003136934.tif 000017
【図７】
0003136934.tif 000018
【図８】
0003136934.tif 000019
【図９】
0003136934.tif 000020